(57)【特許請求の範囲】
【請求項１】
槽体の排水口を上下動することにより開閉する弁体と、
該弁体の下方にて嵌合接続され、弁体を支持して上下動させる弁軸と、を備えた排水栓装置において、
弁軸の先端に設けた段部と前記段部の上方で前記弁軸の端部に形成された傾斜面とによって構成された嵌合部と、弁体に弁軸の嵌合部と嵌合する内側面を設けた被嵌合部とを備え、
前記嵌合部の側面が、前記段部と、前記傾斜面から構成され、
嵌合部と被嵌合部を嵌合させた状態において、嵌合部と被嵌合部の側面方向において面同士が接することが無いように、嵌合部と被嵌合部の側面に隙間空間を備えたことを特徴とする、排水栓装置。
【請求項２】
上記排水栓装置において、
被嵌合部を、弁体の下面に設けた窪み部分と、弁軸の段部と嵌合する爪部にて構成したことを特徴とする、請求項１に記載の排水栓装置。
【請求項３】
上記排水栓装置において、
上記窪み部分の側面を略垂直面とすることで、嵌合部の側面と被嵌合部の側面に隙間空間を備えたことを特徴とする、請求項２に記載の排水栓装置。
【請求項４】
上記排水栓装置において、
弁軸が、弁軸を上下動させる機構に接続されてなることを特徴とする、請求項１乃至請求項３のいずれか一つに記載の排水栓装置。
【請求項５】
排水口の閉口時、弁軸は下方に向って付勢されると共に、
該付勢により、弁軸と嵌合する弁体が、自重を超える応力で排水口周縁に当接することを特徴とする、請求項１乃至請求項４のいずれか一つに記載の排水栓装置。
【発明の詳細な説明】
【技術分野】
【０００１】
本発明は、排水栓装置に関し、更に詳しくは、弁体と弁軸を嵌合させた状態で、弁軸を上下動させることにより、槽体の排水口を開閉させる排水栓装置において、排水口の閉口が不十分で漏水が発生する、という不具合を防止する排水栓装置に関するものである。
【背景技術】
【０００２】
従来より、浴槽や洗面器等、槽体の内部に生じた排水を処理するため、槽体の底面等に排水口を設け、この排水口から排水を排出する排水配管において、排水口内に弁軸を配置し、該弁軸の先端に弁体を嵌合させ、弁軸を上下動させることで弁軸と嵌合している弁体を上下動させ、排水口を開閉させる、排水栓装置が良く知られている。
以下に、排水栓装置の従来例を説明する。
特許文献１に記載の従来の排水栓装置は、槽体の一種である浴槽の排水配管に採用される排水栓装置であって、以下に記載する、排水口本体、支持部材、継手部材、操作部、弁体、弁軸を有するレリースワイヤ、ガイド管、等の部材より構成される。
浴槽は上方が開口した箱体であって、その底面に、排水口本体を取り付けるための取付口を備えてなる。
排水口本体は略円筒形状を成す部材であって、その上端部分外周側には、側面方向に突出するフランジ部を設けると共に、フランジ部の下方外側面には、雄ネジを螺刻してなり、その内部には排水口を形成する。また、排水口に支持部材を嵌合させるための凸部を備えてなる。
支持部材は、レリースワイヤ端部を排水口内に配置固定する部材であって、その中央部分にアウターチューブ端部が接続されると共に、外周部分には、排水口内周に当接して位置決めのガイドを行いつつ、排水口の凸部と嵌合する脚部を備えてなる。
継手部材は、有底略円筒形状を成す部材であって、上方の開口に排水口部材の雄ネジと螺合する雌ネジを、側面に、内部の排水を排出するための排出口を、レリースワイヤを挿通するための挿通口を、それぞれ備えてなる。
操作部は浴槽の上縁に取り付けられる部材であって、排水口の開閉を操作するための部材である。
弁体は、排水口の上端を閉口する部材であって、略円盤状にして、排水口を閉口する円盤部と、円盤部の中央下面に備えられた円筒状の窪み部分である、被嵌合部からなる。
レリースワイヤは、側面方向に可撓性を、軸方向に剛性を有したアウターチューブと、該アウターチューブ内に摺動自在に配置される、側面方向に可撓性を、軸方向に剛性を有したインナーワイヤと、インナーワイヤの一方の端部に備えられた棒状の硬質の部材である弁軸と、レリースワイヤ内に備えられ、インナーワイヤをアウターチューブに対して弁軸とは反対側に付勢する戻りスプリングと、から構成されてなる。
弁軸の先端部分の円筒の径は、被嵌合部の窪み部分の円筒の径とほぼ同一である。また、該弁軸には、側面に溝を設け、この溝に弾性体からなるＯリングを嵌め込んで嵌合部として構成してなる。
尚、以降の従来例、各実施例のレリースワイヤ等の説明において、インナーワイヤがアウターチューブに対して弁軸側に進んで排水口を開口させる方向に移動することを「インナーワイヤが前進」、インナーワイヤがアウターチューブに対して操作部側に進んで排水口を閉口させる方向に移動することを「インナーワイヤが後退」と記載する。
また、図示されないが、レリースワイヤには、施工完了時、操作部に操作を加えることで、アウターチューブに対するインナーワイヤの前進を固定／固定を解除する保持機構（特許文献１では「スラストロック機構」と記載）を備えた保持機構部を接続してなる。保持機構部の保持機構自体には、固定を解除してもアウターチューブに対してインナーワイヤを後退させる機能は無いが、固定を解除することで、レリースワイヤの戻りスプリングが作用し、アウターチューブに対しインナーワイヤインナーワイヤは後退する。
ガイド管は、操作部から挿通口までを接続する、軸方向に剛性を、側面方向に可撓性を備えた軟質塩ビからなるチューブ管であって、操作部に挿通されたレリースワイヤを、挿通口から継手部材内部にガイドするように構成されてなる。
上記のように構成された排水栓装置を用いた排水配管は、以下のようにして浴槽に施工される。
浴槽の取付孔に排水口本体を挿通し、排水口本体のフランジ部下面を、取付孔周縁の上面に当接させる。更に継手部材の雌ネジを、排水口本体の雄ネジに螺合させ、フランジ部下面と継手部材上面とで取付孔周縁を挟持させて排水口本体及び継手部材を浴槽に固定させる。
次に、操作部を浴槽の上縁に取り付け、更に操作部と継手部材の挿通口とを、ガイド管で接続する。
次に、レリースワイヤを操作部からガイド管と継手部材の挿通口を介し、継手部材内に挿通させる。更に排水口本体の排水口からレリースワイヤの先端を引き上げ、支持部材に接続した上で、支持部材を排水口に接続固定する。
更に、レリースワイヤの先端の弁軸を、弁体に接続し、排水栓装置の施工が完了する。
上記のように構成した排水栓装置を使用する場合、まず弁体を排水口に対して降下した状態とし、排水口が閉口された状態とする。この時、弁体の止水面は、排水口周縁に当接して排水口を水密的に覆い、排水口を閉口している。
この状態から操作部に操作を加え、インナーワイヤを弁体側に前進させると、インナーワイヤの弁軸側の端部が突出して弁体を押し上げることで、排水口が開口する。更に、保持機構の作用によって、インナーワイヤが前進し、排水口が開口した状態は維持される。
この状態から操作部に再度操作を加え、保持機構の固定状態を解除すると、インナーワイヤは、弁体の自重と、レリースワイヤの戻りスプリングの作用によって、操作部側に後退する。これによって弁体が弁軸と共に降下し、排水口と弁体の止水面とが当接して、排水口が閉口する。
以降、上記動作を繰り返すことで、排水栓装置において、排水口を開閉することができる。
また、排水口を閉口した状態においては、槽体である浴槽内部に吐水／排水を溜めることができ、また排水口を開口した状態においては、槽体である浴槽内部に溜まった吐水／排水を、排水口から排水口本体、継手部材内を介し、排出口から下水側に排出することができる。
本従来例は、実際に上下動して排水口を開閉する弁体から離間した位置にある操作部に操作を加えることで排水口を遠隔的に開閉操作する排水栓装置、即ち遠隔操作式排水栓装置である。
【特許文献１】特開２００２−８８８５３号
【発明の開示】
【発明が解決しようとする課題】
【０００３】
上記のように構成した排水栓装置には、以下のような問題があった。
排水栓装置で排水口を閉口する場合とは、通常槽体の中に吐水／排水を溜める場合である。例えば、上記従来例のように浴槽の場合では、入浴の為に浴槽内部に浴湯を溜める場合に排水口を閉口する。このため、排水口の閉口時に、槽体内部に溜めた吐水／排水が、閉口した排水口より漏水を生じることは大きな不具合となる。
しかしながら、上記従来例において、弁体と弁軸の嵌合が確実且つ適正に行われていなければ、排水口の閉口が確実に行われない、という問題があった。
詳述すると、当然ながらレリースワイヤのインナーワイヤと弁軸とでは太さ・強度が異なり、弁軸の方がインナーワイヤよりもはるかに径が太い。このため、弁軸はアウターチューブ内に入り込んだり、進退することは不可能で、弁軸の下端（後端）がアウターチューブ端部に当接する位置まで後退する以上に後退することは不可能である。実際には、アウターチューブの端部には、ネジ等支持部材等に接続するための構造があり、この構造を超えて弁軸がそれ以上に後退することはできないように構成されている。
この点を考慮して、排水栓装置の各部材は、「弁軸が最も後退（降下）した状態、即ち弁軸が、アウターチューブ端部又はアウターチューブに設けられた構造に当接した状態において、弁軸に接続された弁体の止水面が、排水口の周縁に当接して排水口を閉塞する」ように設計される。
また、実際の製品では、弁軸に弁体が接続された状態で、弁体が排水口周縁に当接した状態において、弁軸の下端（後端）がアウターチューブ端部、又はアウターチューブに設けられた構造より若干の遊び空間（隙間）を生じるように構成して、排水口と弁体の当接を確実にするように構成してなる。
更に、上記従来例では、インナーワイヤが後退する場合に、レリースワイヤに備えた戻りスプリングによって、弁体の自重のみではなく、戻りスプリングの弾性によっても弁体の止水面が排水口の開口周縁に当接する方向に付勢されるように構成して、排水口が確実に閉口されるように構成してなる。
ところが、弁体と弁軸との嵌合が適切に行われていない状態、即ち、弁軸の嵌合部が、弁体の被嵌合部に奥まで押しこまれていない状態となることがある。例えば、弁軸の嵌合部が弁体の被嵌合部奥まで押しこまれていなくとも、弁軸の嵌合部と、弁体の被嵌合部が、共に円筒形状であり、側面同士が当接し、摩擦を生じることで、排水栓装置の使用者が弁体と弁軸が嵌合したと誤認し、嵌合が不完全であることに気が付かずそのままにした場合等である。
この、弁軸の嵌合部が、弁体の被嵌合部に奥まで押しこまれていない状態では、弁軸下端から弁体の当接面までの高さ幅が、正しく嵌合が行われている状態の高さ幅より高くなるため、弁軸が最も低い位置まで降下しても、排水口周縁と弁体の当接面との間に隙間が生じてしまい、漏水を生じる場合がある。
また、弁軸下端（後端）とアウターチューブ端部との間に、遊び空間（隙間）が設けられている場合において、弁軸が戻りスプリングの作用により自重以上の応力で降下しようとしても、弁軸と弁体の嵌合が不完全であると、弁体に付勢が伝わらず、弁体の止水面と排水口周縁との当接が弱くなり、漏水が発生する場合がある。
上記従来例は、弁軸がインナーワイヤに備えられた構成であるが、上記問題は、弁軸がインナーワイヤに備えられた場合のみならず、弁体と弁軸が嵌合により着脱可能な排水栓装置全てにおいて生じうる問題である。
本発明は上記問題点に鑑み発明されたものであって、排水栓装置において、弁体と弁軸の嵌合を確実且つ適切な状態で行うようにすることで、排水口の閉口が不十分で、排水口から漏水が生じることを防止することができる排水栓装置を提供するものである。
【課題を解決するための手段】
【０００４】
請求項１に記載の本発明は、槽体の排水口を上下動することにより開閉する弁体と、該弁体の下方にて嵌合接続され、弁体を支持して上下動させる弁軸と、を備えた排水栓装置において、弁軸の先端に設けた段部と前記段部の上方で前記弁軸の端部に形成された傾斜面とによって構成された嵌合部と、弁体に弁軸の嵌合部と嵌合する内側面を設けた被嵌合部とを備え、前記嵌合部の側面が、前記段部と、前記傾斜面から構成され、嵌合部と被嵌合部を嵌合させた状態において、嵌合部と被嵌合部の側面方向において面同士が接することが無いように、嵌合部と被嵌合部の側面に隙間空間を備えたことを特徴とする、排水栓装置である。
【０００５】
請求項２に記載の本発明は、上記排水栓装置において、被嵌合部を、弁体の下面に設けた窪み部分と、弁軸の段部と嵌合する爪部にて構成したことを特徴とする、段落０００４に記載の排水栓装置である。
【０００６】
請求項３に記載の本発明は、上記排水栓装置において、上記窪み部分の側面を略垂直面とすることで、嵌合部の側面と被嵌合部の側面に隙間空間を備えたことを特徴とする、段落０００５に記載の排水栓装置である。
【０００７】
請求項４に記載の本発明は、上記排水栓装置において、弁軸が、弁軸を上下動させる機構に接続されてなることを特徴とする、段落０００４乃至段落０００６のいずれか一つに記載の排水栓装置である。
【０００８】
請求項５に記載の本発明は、排水口の閉口時、弁軸は下方に向って付勢されると共に、該付勢により、弁軸と嵌合する弁体が、自重を超える応力で排水口周縁に当接することを特徴とする、段落０００４乃至段落０００７のいずれか一つに記載の排水栓装置である。
【発明の効果】
【０００９】
請求項１に記載の本発明では、弁軸の嵌合部と弁体の被嵌合部との側面に、隙間空間を備えたことで、弁体の被嵌合部と弁軸の嵌合部とが側面において摩擦を生じることが無くなり、弁軸の嵌合部を、弁体の被嵌合部に挿入しやすくなると共に、仮に嵌合部と被嵌合部の嵌合が完了していなければ、弁軸が弁体から簡単に分離してしまうことで、排水栓装置の使用者が弁体と弁軸の嵌合を確実に行うことができるようになった。
請求項２に記載の本発明では、本発明の具体的構成を明確にすることができた。
また、請求項３に記載の本発明では、嵌合部と被嵌合部において、略垂直面と傾斜面とを組み合わせて側面間に隙間空間を形成している。このように構成することで、傾斜面と略垂直面が、面ではなく線にて接触する状態となり、嵌合部と被嵌合部の側面間に隙間空間を形成しつつ、嵌合部に対して被嵌合部が水平方向にずれることが無い、位置決めされた構造とすることができる。
また、本発明は、弁軸と弁体の嵌合接続を確実に行うことで、弁体と弁軸を嵌合接続させた状態での弁体と弁軸を設計通りとすることができる発明であり、請求項４に記載したような、弁軸を上下動させる機構が弁軸に接続されていることで、弁体と弁軸との嵌合が不適切で高さ寸法が狂うと漏水が生じる恐れのある排水栓装置に採用すると特に好適である。
また、本発明は、弁軸と弁体の嵌合接続を確実に行うことで、排水口周縁と弁体との当接を良好にするための発明であり、請求項５に記載したような、排水口周縁と弁体との当接を良好に行う構成を併用すると特に好適である。
【図面の簡単な説明】
【００１０】
【図１】第一実施例の排水栓装置の閉口状態を示す断面図である。
【図２】図１の排水口本体近傍を示す断面図である。
【図３】第一実施例の排水栓装置の開口状態を示す断面図である。
【図４】図３の排水口本体近傍を示す断面図である。
【図５】第一実施例の弁体と弁軸に関連する部材の組み合わせ状態を示す断面図である。
【図６】図５の各部材の展開状態を示す断面図である。
【図７】第二実施例の排水栓装置を示す断面図である。
【図８】図７の閉口状態の排水口本体近傍を示す断面図である。
【図９】図７の開口状態の排水口本体近傍を示す断面図である。
【図１０】第二実施例の弁体と弁軸に関連する部材の組み合わせ状態を示す断面図である。
【図１１】図１０の各部材の展開状態を示す断面図である。
【図１２】その他の実施例の、排水口を閉口した排水口本体近傍を示す断面図である。
【図１３】図１２の実施例の、排水口を開口した状態を示す断面図である。
【図１４】図１０の実施例の弁体と弁軸に関連する部材の組み合わせ状態を示す断面図である。
【図１５】図１４の各部材の展開状態を示す断面図である。
【実施例】
【００１１】
以下に、本発明の第一実施例について、図面を参照しつつ説明する。
図１乃至図６に示した、本発明の第一実施例の排水栓装置は、槽体の一種である浴槽Ｂの排水配管に採用される排水栓装置であって、以下に記載する、排水口本体１、支持部材６、継手部材７、操作部８、弁体２、弁軸３を有するレリースワイヤ９、ガイド管１０、等の部材より構成される。
浴槽Ｂは上方が開口した箱体であって、その底面に、排水口本体１を取り付けるための取付孔を備えてなる。
排水口本体１は略円筒形状を成す部材であって、その上端部分外周側には、側面方向に突出するフランジ部１ｂを設けると共に、フランジ部１ｂの下方外側面には、雄ネジを螺刻してなり、その内部には排水口１ａを形成する。また、排水口１ａに支持部材６を嵌合させるための凸部１ｃを備えてなる。
支持部材６は、レリースワイヤ９端部を排水口１ａ内に配置固定する部材であって、その中央部分にアウターチューブ９ａ端部が接続されると共に、外周部分には、排水口１ａ内周に当接して位置決めのガイドを行いつつ、排水口１ａの凸部１ｃと嵌合する脚部６ａを備えてなる。
継手部材７は、有底略円筒形状を成す部材であって、上方の開口に排水口１ａ部材の雄ネジと螺合する雌ネジを、側面に、内部の排水を排出するための排出口７ａと、レリースワイヤ９を挿通するための挿通口７ｂを、それぞれ備えてなる。
操作部８は浴槽Ｂの上縁に取り付けられる部材であって、排水口１ａの開閉を操作するための部材である。
弁体２は、排水口１ａの上端を閉口する部材であって、略円盤状の円盤部２ａ、及び該円盤部２ａの下面中央に設けられた被嵌合部４から構成されてなる。
被嵌合部４について詳述すると、被嵌合部４は、円盤部２ａの中央下面に備えられた円筒状の窪み部分４ｂ、及び該窪み部分４ｂの周縁から下方に突出した、切り欠き部４ｃを備えると共に、先端部分が中心側に突出する凸条４ｄを有する爪部４ａ、から構成されてなる。爪部４ａの下面には、中心から下方程拡径する傾斜面が備えられてなる。
また、円盤部２ａは、外周縁近傍の下面に、排水口１ａ周縁に当接する、パッキングなどを備えた止水面４ｂを有してなり、この止水面４ｂが排水口１ａ周縁に当接することで排水口１ａを閉口する。
レリースワイヤ９は、側面方向に可撓性を、軸方向に剛性を有したアウターチューブ９ａと、該アウターチューブ９ａ内に摺動自在に配置される、側面方向に可撓性を、軸方向に剛性を有したインナーワイヤ９ｂと、インナーワイヤ９ｂの一方の端部に備えられた棒状の硬質の部材である弁軸３と、レリースワイヤ９内に備えられ、インナーワイヤ９ｂをアウターチューブ９ａに対して弁軸３とは反対側に付勢する戻りスプリング９ｃと、から構成されてなる。
弁軸３は、側面に上方側が縮径する段部５ａを設け、また先端部分には、傾斜面を備えた円錐形状部分を備えてなる。円錐形状部分の下端の径は段部５ａの上方側の径よりも若干大きく、この円錐形状部分と段部５ａとの継ぎ目部分に弁体２の被係合部の爪部４ａを係止することで、弁軸３と弁体２が嵌合接続される。
尚、本実施例において弁軸３は、弁体２と嵌合接続され、施工が完了した状態において、排水口１ａを弁体２で覆った閉口時、弁軸３の下端（後端）が、アウターチューブ９ａ端部に対して若干の隙間を生じるように構成されてなる。
また、レリースワイヤ９には、アウターチューブ９ａに対するインナーワイヤ９ｂの前進を固定／固定を解除する保持機構を備えた保持機構部１１が接続されてなる。
保持機構部１１について詳述すると、保持機構部１１は、内部に歯車等を収納した円筒形状のケーシング部１１ａと、該ケーシング部１１ａ内を貫通するようにして進退自在に挿通配置される保持軸１１ｂとを備えてなる。ケーシング部１１ａはレリースワイヤ９のアウターチューブ９ａ端部に固定される。また、保持軸１１ｂは、同軸上に配置されるレリースワイヤ９のインナーワイヤ９ｂが、戻りスプリング９ｃの作用により常時後退方向、即ち保持軸１１ｂ側に付勢されているため、常時インナーワイヤ９ｂ端部に当接され、後退方向に付勢された状態となる。
該保持機構部１１は、ケーシング部１１ａ内部に備えられた歯車などの機構によって、ノック式ボールペンなどの機構と同様の機能を有する。即ち、保持機構部１１は、施工完了時、操作部８への操作によって、保持軸１１ｂ後端に押し込み操作を加えられる都度、保持軸１１ｂがケーシング部１１ａに対して前進した状態で固定／固定を解除し、接続されているレリースワイヤ９の戻りスプリング９ｃの作用によりケーシング部１１ａに対して後退、を繰り返すように構成されてなる。
ガイド管１０は、操作部８から挿通口７ｂまでを接続する、軸方向に剛性を、側面方向に可撓性を備えた軟質塩ビからなるチューブ管であって、操作部８に挿通されたレリースワイヤ９を、挿通口７ｂから継手部材７内部にガイドするように構成されてなる。
【００１２】
上記のように構成された排水栓装置を用いた排水配管は、以下のようにして浴槽Ｂに施工される。
浴槽Ｂの取付孔に排水口本体１を挿通し、排水口本体１のフランジ部１ｂ下面を、取付孔周縁の上面に当接させる。更に継手部材７の雌ネジを、排水口本体１の雄ネジに螺合させ、フランジ部１ｂ下面と継手部材７上面とで取付孔周縁を挟持させて排水口本体１及び継手部材７を浴槽Ｂに固定させる。
次に、操作部８を浴槽Ｂの上縁に取り付け、更に操作部８と継手部材７の挿通口７ｂとを、ガイド管１０で接続する。
次に、レリースワイヤ９を操作部８からガイド管１０と継手部材７の挿通口７ｂを介し、継手部材７内に挿通させる。更に排水口本体１の排水口１ａからレリースワイヤ９の先端を引き上げ、支持部材６にアウターチューブ９ａ端部を接続した上で、支持部材６を排水口１ａに接続固定する。
更に、レリースワイヤ９の先端の弁軸３を、弁体２に接続し、排水栓装置の施工が完了する。
尚、この嵌合部５と被嵌合部４の接続に際して、弁軸３の嵌合部５を、弁体２の被嵌合部４に挿入する嵌合接続の際、嵌合部５と被嵌合部４とは、側面方向に隙間空間Ｓを形成するように構成したことで、側面方向において面同士が接することが無いため、挿入時の面同士の当接による摩擦が無く、弁軸３の嵌合部５を、弁体２の被嵌合部４に奥まで挿入しやすくなると共に、仮に嵌合部５と被嵌合部４の嵌合が完了していなければ、弁軸３が弁体２から簡単に分離してしまうことで、排水栓装置の使用者が弁体２と弁軸３の嵌合を確実に行うことができるようになった（円錐部上面の傾斜面の角度と、爪部４ａ下面の傾斜面の角度が同じであれば、一時的に傾斜面同士が当接することがあるが、この場合、傾斜面同士の当接の方向から、摩擦によって弁軸３が弁体２に保持されることは無く、嵌合接続が不完全であれば弁軸３と弁体２は即座に分離・離間し、使用者は接続が不完全であったと即座に理解できる）。
【００１３】
上記のように構成した排水栓装置を使用する場合、まず図１、図２に示したように、弁体２を排水口１ａに対して降下した状態とし、排水口１ａが閉口された状態とする。この時、弁体２の止水面４ｂは、排水口１ａ周縁に当接して排水口１ａを水密的に覆い、排水口１ａを閉口している。
また、この閉口状態において、弁体２に作用する応力としては、弁体２、弁軸３の自重の他、弁軸３に作用している、弁軸３を降下させようとする戻りスプリング９ｃの弾性力による付勢がある。この付勢が、弁軸３に嵌合している弁体２にも伝達されて、自重以上の応力で弁体２を下方に付勢し、止水面４ｂを排水口１ａ周縁に強く当接させて、排水口１ａの閉口をより確実なものとしている。
この状態から操作部８に操作を加え、保持軸１１ｂ後端を押し込んで、インナーワイヤ９ｂを前進させると、インナーワイヤ９ｂの弁軸３側の端部が突出して、図３、図４に示したように、弁体２を押し上げることで、排水口１ａが開口する。更に、保持機構部１１の作用によって、この保持軸１１ｂが前進した状態が固定され、保持軸１１ｂに当接しているインナーワイヤ９ｂも前進した状態で固定されるため、排水口１ａが開口した状態が維持される。
この状態から操作部８に再度操作を加え、保持機構部１１の保持軸１１ｂの固定状態を解除すると、保持軸１１ｂによる固定が解除されたインナーワイヤ９ｂは、弁体２の自重と、レリースワイヤ９の戻りスプリング９ｃの作用によって、保持軸１１ｂと共に操作部８側に後退する。これによって弁体２が弁軸３と共に降下し、排水口１ａ周縁と弁体２の止水面４ｂとが当接して、図１、図２に示した排水口１ａが閉口した状態に戻る。
以降、上記動作を繰り返すことで、排水栓装置において、排水口１ａを開閉することができる。
また、排水口１ａを閉口した状態においては、槽体である浴槽Ｂ内部に吐水／排水を溜めることができ、また排水口１ａを開口した状態においては、槽体である浴槽Ｂ内部に溜まった吐水／排水を、排水口１ａから排水口本体１、継手部材７内を介し、排出口７ａから下水側に排出することができる。
本実施例は、実際に上下動して排水口１ａを開閉する弁体２から離間した位置にある操作部８に操作を加えることで排水口１ａを遠隔的に開閉操作する排水栓装置、即ち遠隔操作式排水栓装置である。
【００１４】
上記のように構成された排水栓装置の施工が完了した状態において、図５等に示したように、弁軸３の段部５ａよりも上方、即ち弁軸３先端の円錐部分以上の部分では、弁体２に備えられた被嵌合部４が円筒形状、つまり内側面が略垂直面を成し、その内部に配置される弁軸３の嵌合部５である円錐部分は傾斜面を備えることで、嵌合部５と被嵌合部４の側面間には、隙間空間Ｓが形成されてなる。
また、弁軸３の段部５ａ以下の部分、即ち弁体２の爪部４ａ以下の部分においては、弁軸３に備えられた嵌合部５が円筒形状、つまり外側面が略垂直面を成し、その周囲に配置される被嵌合部４である爪部４ａは傾斜面を備えることで（但し、爪部４ａ先端に強度確保のため若干の略垂直面を有する）、やはり嵌合部５と被嵌合部４の側面間には隙間空間Ｓが形成されてなる。
以上より、嵌合部５と被嵌合部４の側面間には、略垂直面と傾斜面とによる隙間空間Ｓが形成されてなる。
このように、嵌合部５と被嵌合部４の側面間に隙間空間Ｓを備えたことで、弁体２の被嵌合部４と弁軸３の嵌合部５とが側面において摩擦を生じることがほぼ無くなる程に減少し、弁軸３の嵌合部５を、弁体２の被嵌合部４に奥まで挿入しやすくなると共に、仮に嵌合部５と被嵌合部４の嵌合が完了していなければ、弁軸３が弁体２から簡単に分離してしまうことで、排水栓装置の使用者が弁体２と弁軸３の嵌合を確実に行うことができるようになった。
また、上記実施例では、略垂直面と傾斜面とを組み合わせて側面間に隙間空間Ｓを形成している。弁軸３先端の円錐形状の下端部分外側面と被嵌合部４の略円筒部分の内側面、及び弁軸３の段部５ａ部分と被嵌合部４の傾斜面を有する爪部４ａの先端部分（最も内径側となる部分）は、それぞれ傾斜面と略垂直面が（面ではなく）線にて接触する状態となり、嵌合部５と被嵌合部４の側面間に隙間空間Ｓを形成しつつ、嵌合部５に対して被嵌合部４が水平方向にずれることが無い、位置決め状態とすることができる。
【００１５】
また、上記排水栓装置においては、弁軸３が、弁軸３を上下動させるレリースワイヤ９のインナーワイヤ９ｂに接続されてなる。
弁軸３と接続されておらず、弁軸３から離間した上下動の機構を備えて、排水口１ａの開口時に単に弁軸３を下から押し上げる構造の排水栓装置の場合、弁軸３と弁体２の嵌合接続が不適切で、弁体２の止水面４ｂと弁軸３下端との高さ幅（長さ）が適正な長さより若干長くなったとしても、上下動の機構と弁軸３下端との間の遊び（隙間空間Ｓ）によって吸収することができ、ある程度接続の不適切さにも対応できる場合がある。
しかし、上記実施例のように、弁軸３を上下動させる機構が、弁軸３に接続されている場合、押し上げる機構と弁軸３下端との間には遊び（隙間空間Ｓ）が当然ながら存在せず、弁軸３と弁体２の嵌合接続が不適切で、弁体２の止水面４ｂと弁軸３下端との高さ幅（長さ）が適正な長さより若干長くなった場合、その分弁体２の止水面４ｂと排水口１ａ周縁との間に隙間が生じてしまう場合がある。
また、上記実施例のように、弁軸３に戻りスプリング９ｃ等の付勢が作用するようにして、弁軸３が自重以上の応力で降下するように構成した場合、弁軸３と弁体２との嵌合接続が不完全であると、弁体２と弁軸３の嵌合接続が完全に外れてしまう等、または弁軸３に作用している降下方向への応力が弁体２に伝わらず、弁体２の止水面４ｂと排水口１ａ周縁が強く当接しない場合がある。
このような、弁軸３が、弁軸３を上下動させる機構に接続されている構造の排水栓装置、また弁軸３が自重以上の応力で降下する機構を有する排水栓装置では、弁体２と弁軸３との嵌合接続が不適切であると、特に漏水の可能性が高まるため、本発明のように、弁軸３の嵌合部５と、弁体２の被嵌合部４の嵌合接続を確実に行う構成であると好適である。
【００１６】
次に、本発明の第二実施例について、図面を参照しつつ説明する。
図７乃至図１１に示した、本発明の第二実施例の排水栓装置は、槽体の一種である浴槽Ｂの排水配管に採用される排水栓装置であって、以下に記載する、排水口本体１、弁軸３を有する支持部材６、継手部材７、操作部８、弁体２、レリースワイヤ９、ガイド管１０、等の部材より構成される。
浴槽Ｂは上方が開口した箱体であって、その底面に、排水口本体１を取り付けるための取付孔を備えてなる。
排水口本体１は略円筒形状を成す部材であって、その上端部分外周側には、側面方向に突出するフランジ部１ｂを設けると共に、フランジ部１ｂの下方外側面には、雄ネジを螺刻してなり、その内部には排水口１ａを形成する。また、排水口１ａに支持部材６を嵌合させるための凸部１ｃを備えてなる。
支持部材６は、レリースワイヤ９端部を排水口１ａ内に配置固定する部材であって、その中央部分にアウターチューブ９ａ端部が接続されると共に、外周部分には、排水口１ａ内周に当接して位置決めのガイドを行いつつ、排水口１ａの凸部１ｃと嵌合する脚部６ａを備えてなる。
保持機構部１１について詳述すると、保持機構部１１は、内部に歯車等を収納した円筒形状のケーシング部１１ａと、該ケーシング部１１ａ内を貫通するようにして上下動自在に挿通配置される弁軸３と、該弁軸３を下方に付勢する降下スプリング１２と、を備えてなる。
弁軸３について詳述すると、弁軸３は、上方が閉塞した略円筒形状の部材であって、
上方の端部に設けられた嵌合部５は、側面に上方側が縮径する段部５ａを設け、また先端部分には、傾斜面を備えた円錐形状部分を備えてなる。円錐形状部分の下端の径は段部５ａの上方側の径よりも若干大きく、この円錐形状部分と段部５ａとの継ぎ目部分に弁体２の被係合部の爪部４ａを係止することで、弁軸３と弁体２が嵌合接続される。尚、本実施例の段部５ａの下方の縮径部分は、第一実施例の水平方向からなる段部５ａと異なり、図面より明らかなように、下方程拡径する傾斜面にて構成されてなるが、この部分が爪部４ａ下面と当接しても、上下方向に弁体２と弁軸３との摩擦による静止状態を生じる位置関係ではないこと、また爪部４ａ下方の傾斜面と段部５ａの傾斜の角度を変えていることから、両者の間に隙間空間Ｓを形成するため、弁体２と弁軸３の間に嵌合接続の不具合が生じることは無いように構成されている。
また、該保持機構部１１は、ケーシング部１１ａ内部に備えられた歯車などの機構によって、ノック式ボールペンなどの機構と同様の機能を有する。即ち、施工完了時、弁軸３内部にインナーワイヤ９ｂの先端を収納し、操作部８への操作によってレリースワイヤ９のインナーワイヤ９ｂが前進する都度、弁軸３はインナーワイヤ９ｂ先端に内側から押し上げられるようにして、ケーシング部１１ａに対して上昇した状態で固定／固定を解除し、自重と降下スプリング１２の作用によりケーシング部１１ａに対して降下、を繰り返すように構成されてなる。
施工完了時、ケーシング部１１ａは、その下端にレリースワイヤ９のアウターチューブ９ａ端部が固定される。また、弁軸３の内部に、レリースワイヤ９のインナーワイヤ９ｂ端部が同軸上となるようにして配置される。但し、排水口１ａを閉口している状態、即ち、弁軸３が最も降下し、且つインナーワイヤ９ｂが最も後退した状態では、弁軸３内部の天面と、インナーワイヤ９ｂ先端の間には、若干の隙間空間Ｓが形成されてなる。
継手部材７は、有底略円筒形状を成す部材であって、上方の開口に排水口１ａ部材の雄ネジと螺合する雌ネジを、側面に、内部の排水を排出するための排出口７ａと、レリースワイヤ９を挿通するための挿通口７ｂを、それぞれ備えてなる。
操作部８は浴槽Ｂの上縁に取り付けられる部材であって、排水口１ａの開閉を操作するための部材である。
弁体２は、排水口１ａの上端を閉口する部材であって、略円盤状の円盤部２ａ、及び該円盤部２ａの下面中央に設けられた被嵌合部４から構成されてなる。
被嵌合部４について詳述すると、被嵌合部４は、円盤部２ａの中央下面に備えられた円筒状の窪み部分４ｂ、及び該窪み部分４ｂの周縁から下方に突出した、切り欠き部４ｃを備えると共に、先端部分が中心側に突出する凸条４ｄを有する爪部４ａ、から構成されてなる。爪部４ａの下面には、中心から下方程拡径する傾斜面が備えられてなる。
また、円盤部２ａは、外周縁近傍の下面に、排水口１ａ周縁に当接する、パッキングなどを備えた止水面４ｂを有してなり、この止水面４ｂが排水口１ａ周縁に当接することで排水口１ａを閉口する。
レリースワイヤ９は、側面方向に可撓性を、軸方向に剛性を有したアウターチューブ９ａと、該インナーワイヤ９ｂ内に摺動自在に配置される、側面方向に可撓性を、軸方向に剛性を有したインナーワイヤ９ｂと、レリースワイヤ９内に備えられ、インナーワイヤ９ｂをアウターチューブ９ａに対して弁軸３とは反対側に付勢する戻りスプリング９ｃと、から構成されてなる。
ガイド管１０は、操作部８から挿通口７ｂまでを接続する、軸方向に剛性を、側面方向に可撓性を備えた軟質塩ビからなるチューブ管であって、操作部８に挿通されたレリースワイヤ９を、挿通口７ｂから継手部材７内部にガイドするように構成されてなる。
【００１７】
上記のように構成された排水栓装置を用いた排水配管は、段落００１２に記載した、第一実施例の排水栓装置と同様の手順にて浴槽Ｂに施工される。
【００１８】
上記のように構成した排水栓装置を使用する場合、まず図７、図８に示したように、弁体２を排水口１ａに対して降下した状態とし、排水口１ａが閉口された状態とする。この時、弁体２の止水面４ｂは、排水口１ａ周縁に当接して排水口１ａを水密的に覆い、排水口１ａを閉口している。また、インナーワイヤ９ｂは戻りスプリング９ｃの作用により操作部８側に後退している。
また、この閉口状態において、弁体２に作用する応力としては、弁体２、弁軸３の自重の他、弁軸３に作用している、弁軸３を降下させようとする降下スプリング１２の弾性力による付勢がある。この付勢が、弁軸３に嵌合している弁体２にも伝達されて、自重以上の応力で弁体２を下方に付勢し、止水面４ｂを排水口１ａ周縁に強く当接させて、排水口１ａの閉口をより確実なものとしている。尚、弁軸３とインナーワイヤ９ｂは離間しているため、第一実施例と異なり、本実施例では戻りスプリング９ｃの付勢が弁軸３を降下させる方向に作用することは無い。
この状態から操作部８に操作を加え、インナーワイヤ９ｂを前進させると、インナーワイヤ９ｂの弁軸３側の端部が突出して弁軸３の内側の天面に当接し、弁軸３を押し上げることで、図９に示したように、弁軸３と共に弁体２が上昇して排水口１ａが開口する。更に、保持機構の作用によって、この弁軸３が上昇した状態が固定され、排水口１ａが開口した状態が維持される。尚、操作部８への操作が終了すると、インナーワイヤ９ｂは戻りスプリング９ｃの作用によって操作部８側に後退する。
この状態から操作部８に再度操作を加え、インナーワイヤ９ｂを再び弁軸３側に前進させると、インナーワイヤ９ｂの弁軸３側の端部が突出して弁軸３の内側の天面に当接し、弁軸３を押し上げることで、保持機構の作用によって、弁軸３の上昇した状態の固定が解除される。操作部８への操作が終了し、インナーワイヤ９ｂが戻りスプリング９ｃの作用によって操作部８側に後退すると、保持機構による固定が解除された弁軸３は、弁軸３自身と弁体２の自重、及び降下スプリング１２による付勢によって、弁体２と共に降下し、排水口１ａ周縁と弁体２の止水面４ｂとが当接して、図７、図８に示した排水口１ａが閉口した状態に戻る。
以降、上記動作を繰り返すことで、排水栓装置において、排水口１ａを開閉することができる。
また、排水口１ａを閉口した状態においては、槽体である浴槽Ｂ内部に吐水／排水を溜めることができ、また排水口１ａを開口した状態においては、槽体である浴槽Ｂ内部に溜まった吐水／排水を、排水口１ａから排水口本体１、継手部材７内を介し、排出口７ａから下水側に排出することができる。
本実施例は、実際に上下動して排水口１ａを開閉する弁体２から離間した位置にある操作部８に操作を加えることで排水口１ａを遠隔的に開閉操作する排水栓装置、即ち遠隔操作式排水栓装置である。
【００１９】
上記のように構成された排水栓装置では、第一実施例同様、弁軸３の嵌合部５と弁体２の被嵌合との側面間に、図１０等に示したように、斜面と略垂直面とからなる隙間空間Ｓを設けたことで、弁体２の被嵌合部４と弁軸３の嵌合部５とが側面において摩擦を生じることが無くなり、弁軸３の嵌合部５を、弁体２の被嵌合部４に奥まで挿入しやすくなると共に、仮に嵌合部５と被嵌合部４の嵌合が完了していなければ、弁軸３が弁体２から簡単に分離してしまうことで、排水栓装置の使用者が弁体２と弁軸３の嵌合を確実に行うことができると共に、嵌合部５に対して被嵌合部４が水平方向にずれることが無い、位置決め状態とすることができる構成となった。
【００２０】
また、上記排水栓装置においては、弁軸３が、弁軸３を上下動させる機構である保持機構に一体的に接続されてなるため、第一実施例と同様に、弁軸３と弁体２の嵌合接続が不適切な場合、弁体２の止水面４ｂと排水口１ａ周縁との間に隙間が生じてしまうという問題がある。
また、弁軸３に降下スプリング１２等の付勢が作用するようにして、弁軸３が自重以上の応力で降下するように構成しているため、第一実施例と同様に、弁軸３と弁体２との嵌合接続が不完全であると、弁体２と弁軸３の嵌合接続が完全に外れてしまう等、または弁軸３に作用している降下方向への応力が弁体２に伝わらず、弁体２の止水面４ｂと排水口１ａ周縁が強く当接しないという問題がある。
このような、弁軸３が、弁軸３を上下動させる機構に接続されている構造の排水栓装置、また弁軸３が自重以上の応力で降下する降下する機構を有する排水栓装置では、弁体２と弁軸３との嵌合接続が不適切であると、特に漏水の可能性が高まるため、本実施例のように、弁軸３の嵌合部５と、弁体２の被嵌合部４の嵌合接続を確実に行う構成であると好適である。
【００２１】
本発明の実施例は以上のようであるが本発明は上記実施例に限定される物ではなく、主旨を変更しない範囲において自由に変更が可能である。
例えば、上記第一実施例、第二実施例は、いずれも浴槽Ｂに用いられる排水栓装置であるが、本発明は上記実施例に限定されるものでは無く、洗面台や流し台など、様々な排水機器に採用しても構わない。また、第一実施例、第二実施例は、いずれも遠隔操作式の排水栓装置に採用されているが、本発明は上記実施例に限定されるものでは無く、必要に応じ、遠隔操作の機能が無い排水栓装置に採用しても構わない。
【００２２】
また、上記第一実施例実施例ではインナーワイヤ９ｂの先端を弁軸３とし、第二実施例では弁軸３を保持機構部１１の保持軸１１ｂと一体のものと構成されてなるが、本発明は上記実施例に限定されるものではなく、図１２乃至図１５に示した実施例のように、弁軸３をインナーワイヤ９ｂや保持機構部１１から切り離した一つの部材として構成しても良い。図  １２乃至図１５に示した実施例では、第一実施例と同じく操作部８に保持機構部１１を備えてなる。また、レリースワイヤ９は第二実施例と同様の構成である。支持部材６は、第二実施例の支持部材６から保持機構を除外した構成である。弁軸３は支持部材６に備えられた一つの部材として備えられてなる。排水口１ａの開閉においては、弁軸３はインナーワイヤ９ｂを介し、操作部８の保持機構によって上昇した状態を維持し、保持機構の保持が解除されると、弁体２は、弁軸３、弁体２の自重と、降下スプリング１２の作用によって降下し、排水口１ａを閉口する。
【符号の説明】
【００２３】
１      排水口本体            １ａ    排水口
１ｂ    フランジ部            １ｃ    凸部
２      弁体                  ２ａ    円盤部
２ｂ    止水面                ３      弁軸
４      被嵌合部              ４ａ    爪部
４ｂ    窪み部分              ４ｃ    切り欠き部
４ｄ    凸条                  ５      嵌合部
５ａ    段部                  ６      支持部材
６ａ    脚部                  ７      継手部材
７ａ    排出口                ７ｂ    挿通口
８      操作部                ９      レリースワイヤ
９ａ    アウターチューブ      ９ｂ    インナーワイヤ
９ｃ    戻りスプリング        １０    ガイド管
１１    保持機構部            １１ａ  ケーシング部
１１ｂ  保持軸                １２    降下スプリング
Ｂ      浴槽                  Ｓ      隙間空間
【図１】
0006630885.tif 000002
【図２】
0006630885.tif 000003
【図３】
0006630885.tif 000004
【図４】
0006630885.tif 000005
【図５】
0006630885.tif 000006
【図６】
0006630885.tif 000007
【図７】
0006630885.tif 000008
【図８】
0006630885.tif 000009
【図９】
0006630885.tif 000010
【図１０】
0006630885.tif 000011
【図１１】
0006630885.tif 000012
【図１２】
0006630885.tif 000013
【図１３】
0006630885.tif 000014
【図１４】
0006630885.tif 000015
【図１５】
0006630885.tif 000016